(57)【特許請求の範囲】
【請求項１】
画像ディスプレイを備えた遊技台の多数を列設して成る遊技島において、隣り合う遊技台の間に介装される台間柱から携帯端末機を空中で保持する保持装置であり、
前記保持装置(1)は、前記台間柱(4)と、前記台間柱(4)の表面に重ねた状態で固着される支持体(6)と、携帯端末機を着脱自在に保持するホルダ(7)と、前記支持体(6)とホルダ(7)を連結する保形性を有するフレキシブルアーム(8)とから構成され、
前記フレキシブルアーム(8)を屈曲することにより、前記ホルダ(7)と共に携帯端末機を空中で前記画像ディスプレイ(3a)に向かう作動位置(P1)と前記台間柱(4)に沿う格納位置(P2)との間で移動自在かつ保持自在に構成しており、
前記台間柱(4)と前記支持体(6)は、前記支持体(6)の柱状部(22)の背面に突出する嵌着部(29)を前記台間柱(4)に開設した窓孔(31)に嵌入すると共に、前記柱状部(22)に設けたボス部(27,28)を前記台間柱(4)に固着したナット(32,33)にビス(34,35)を介して固着し、
前記支持体(4)と前記フレキシブルアーム(8)は、前記柱状部(22)に沿って上下方向に形成した円筒部(24)にフレキシブルアーム(8)の基端部を嵌挿し、該基端部のボルト(10)を前記円筒部(24)の底壁(24a)に挿通すると共にナット(10a)を締着することにより固着しており、
前記円筒部(24)の底壁(24a)を囲んで回転自在な筒状のカバー(38)を設け、該カバー(38)により前記ナット(10a)の周囲を包囲して成ることを特徴とする遊技島における携帯端末機の保持装置。
【請求項２】
前記台間柱(4)と前記支持体(6)は、前記支持体(6)の柱状部(22)に貫設された貫通路(25)を形成すると共に該柱状部(22)の背面に突出する矩形筒状のソケット部(26)を前記台間柱(4)に開設した窓孔(30)に嵌入しており、
前記ソケット部(26)に台間柱の裏側から電源用のＵＳＢコネクタ(37)を嵌挿するように構成して成ることを特徴とする請求項１に記載の遊技島における携帯端末機の保持装置。
【請求項３】
前記ホルダ(7)は、携帯端末機のカメラレンズ(MC)を除く背面部(B)を重ねた状態で保持する盤状部(14)と、該盤状部(14)に一体に形成された取付部(15)と、該盤状部(14)の両側に対向して摺動自在に設けられ相互に近接方向に弾発付勢された保持片(16)を備え、
前記取付部(15)に前記フレキシブルアーム(8)の先端部を固着すると共に、前記盤状部(14)に携帯端末機の背面部を重ねた状態で該携帯端末機の両側部を前記保持片(16)により保持するように構成して成ることを特徴とする請求項１又は２に記載の遊技島における携帯端末機の保持装置。
【発明の詳細な説明】
【技術分野】
【０００１】
本発明は、パチンコホール等において、遊技中に遊技台のディスプレイに所望の動画が表れたとき、遊技者が瞬時に携帯端末機により撮影し送信する便宜のため、携帯端末機を空中で保持できるようにした装置に関する。
【背景技術】
【０００２】
近年、パチンコホールにおけるパチンコ台やパチスロ台等の遊技台は、画像ディスプレイを備えており、種々の動画を表示している。この際、遊技状況が遊技者に有利となったとき、プレミアム画像としての特定動画が表示される。そこで、多くの遊技者は、このような特定動画を撮影し、インターネットを介してユーチューブ（商標）等の動画共有サービスが運営するウエブサイトに送信し、公開することにより情報交換に利用したり、パチンコホールの販促情報として提供したりしている。
【０００３】
従って、多くの遊技者は、突然表示される可能性のある特定動画に備えて、遊技中も常にスマートフォン等の携帯端末機を傍に携え、待機状態で遊技を実行しているのが現状である。
【０００４】
この点に関して、パチンコ台に携帯端末機を保持させるポケットを設けた装置や、遊技中、携帯端末機の充電を可能とする充電器等が提案されている。
【０００５】
【特許文献１】特開２００３−２７５４５５号公報
【特許文献２】特開２００２−２９２１０５号公報
【発明の概要】
【発明が解決しようとする課題】
【０００６】
しかしながら、上述のように、多くの遊技者は、特定動画を撮影し送信することを重要な目的としているため、傍らに携えた携帯端末機に気を取られ、遊技に集中することが困難となる。そして、特定動画の表示は、短時間に限られているため、表示終了までの間に、携帯端末機を適切な位置に構え、カメラ機能を操作して撮影することは、困難を伴い、急ぐ余り、誤って携帯端末機を床上に落として破損するおそれもある。
【０００７】
本発明は、上記に鑑み、携帯端末機を空中で保持することが可能であり、必要に応じて携帯端末機を遊技台の画像ディスプレイに向かう作動位置に移動して保持させることができ、不使用時には、邪魔にならない格納位置に移動して保持させることができるように構成した装置を提供するものである。
【課題を解決するための手段】
【０００８】
そこで、本発明が手段として構成したところは、画像ディスプレイを備えた遊技台の多数を列設して成る遊技島において、隣り合う遊技台の間に介装される台間柱から携帯端末機を空中で保持する保持装置であり、前記保持装置は、前記台間柱と、前記台間柱の表面に重ねた状態で固着される支持体と、携帯端末機を着脱自在に保持するホルダと、前記支持体とホルダを連結する保形性を有するフレキシブルアームとから構成され、前記フレキシブルアームを屈曲することにより、前記ホルダと共に携帯端末機を空中で前記画像ディスプレイに向かう作動位置と前記台間柱に沿う格納位置との間で移動自在かつ保持自在に構成しており、前記台間柱と前記支持体は、前記支持体の柱状部の背面に突出する嵌着部を前記台間柱に開設した窓孔に嵌入すると共に、前記柱状部に設けたボス部を前記台間柱に固着したナットにビスを介して固着し、前記支持体と前記フレキシブルアームは、前記柱状部に沿って上下方向に形成した円筒部にフレキシブルアームの基端部を嵌挿し、該基端部のボルトを前記円筒部の底壁に挿通すると共にナットを締着することにより固着しており、前記円筒部の底壁を囲んで回転自在な筒状のカバーを設け、該カバーにより前記ナットの周囲を包囲して成る点にある。
【０００９】
本発明の好ましい実施形態において、前記台間柱と前記支持体は、前記支持体の柱状部に貫設された貫通路を形成すると共に該柱状部の背面に突出する矩形筒状のソケット部を前記台間柱に開設した窓孔に嵌入しており、前記ソケット部に台間柱の裏側から電源用のＵＳＢコネクタを嵌挿するように構成している。
【００１０】
また、前記ホルダは、携帯端末機のカメラレンズを除く背面部を重ねた状態で保持する盤状部と、該盤状部に一体に形成された取付部と、該盤状部の両側に対向して摺動自在に設けられ相互に近接方向に弾発付勢された保持片を備え、前記取付部に前記フレキシブルアームの先端部を固着すると共に、前記盤状部に携帯端末機の背面部を重ねた状態で該携帯端末機の両側部を前記保持片により保持するように構成している。
【発明の効果】
【００１１】
本発明によれば、保持装置１は、使用を必要としない場合は、フレキシブルアーム８を台間柱４に沿う直線状に保持させ、ホルダ７を空中で遊技台３の盤面から後退した格納位置Ｐ２に移動し、邪魔にならない位置に保持させることができる。
【００１２】
そして、遊技者が遊技中、携帯端末機Ｍの使用を必要とする場合は、ホルダ７に携帯端末機Ｍを保持させると共に、フレキシブルアーム８を屈曲することにより、該ホルダ７と共に携帯端末機Ｍを空中で遊技台３の画像ディスプレイ３ａに向かう作動位置Ｐ１に移動して保持させることができる。
【００１３】
従って、遊技に専念することが可能であり、もしも、画像ディスプレイ３ａにプレミアム画像の特定動画が表示されたときは、予めセットした待機中の携帯端末機Ｍを直ちに操作して迅速に撮影し送信することが可能となる。しかも、遊技中、カメラレンズＭＣとは反対側のディスプレイＭＤが遊技者の顔面に向けられているので、遊技しながら電子メールその他の情報を参照することも可能である。
【００１４】
特に本発明は、携帯端末機Ｍの保持装置を遊技台３に設けるものではなく、隣り合う遊技台３、３の間に介装される台間柱４と、前記台間柱４の表面に重ねた状態で固着される支持体６と、携帯端末機Ｍを着脱自在に保持するホルダ７と、前記支持体６とホルダ７を連結する保形性を有するフレキシブルアーム８とにより保持装置１を構成する点に特徴があり、従って、遊技台３は、従来構造を変更する必要がなく、従来方法により遊技島２を形成するように設置すれば良く、遊技台３、３の間隔調整のために必要とされる台間柱４に関して、該台間柱４を含んで保持装置１を構成することにより、台間柱４と共に保持装置１を簡単容易に装着することができるという利点がある。
この際、台間柱４と支持体６は、支持体６の柱状部２２の背面に突出する嵌着部２９を前記台間柱４に開設した窓孔３１に嵌入した状態で、柱状部２２のボス部２７、２８を介してビス３４、３５により台間柱４の３２、３３に固着することにより、支持体６を台間柱４に好適に結合することが可能である。また、支持体４とフレキシブルアーム８は、前記柱状部２２に沿って上下方向に形成した円筒部２４にフレキシブルアーム８の基端部を嵌挿し、該基端部のボルト１０を前記円筒部２４の底壁２４ａに挿通すると共にナット１０ａを締着することにより、フレキシブルアーム８を支持体６に好適に結合することが可能である。
そして、前記円筒部２４の底壁２４ａを囲んで回転自在な筒状のカバー３８を設け、該カバー３８により前記ナット１０ａの周囲を包囲しているので、該ナット１０ａが視認されることを妨げ、遊技台３の遊技者が不正の意図でナット１０ａを緩める等の行為を防止することができる。
更に、請求項２に記載のように、柱状部２２の背面に突出する矩形筒状のソケット部２６を台間柱４に開設した窓孔３０に嵌入する構成とすれば、支持体６を台間柱４に結合することが更に好適となり、しかも、前記ソケット部２６に台間柱４の裏側から電源用のＵＳＢコネクタ３７を嵌挿することができるので、遊技者が携帯端末機Ｍの充電を望むときは、ＵＳＢケーブル９を介して携帯端末機ＭをＵＳＢコネクタ３７に接続することが可能であり、電池切れのおそれがなく、便利である。
【図面の簡単な説明】
【００１５】
【図１】本発明に係る保持装置をパチンコ等の遊技島に装着した例を示す斜視図である。
【図２】本発明の１実施形態を示し、各部材を分解した状態で示す斜視図である。
【図３】本発明の１実施形態に関し、ホルダの１実施例を示しており、（Ａ）は組付け状態を示す斜視図、（Ｂ）は分解状態を示す斜視図である。
【図４】本発明の１実施形態に関し、台間柱と支持体の１実施例を示す斜視図である。
【図５】台間柱と支持体とフレキシブルアームを組付けた状態を示す断面図である。
【発明を実施するための形態】
【００１６】
以下図面に基づいて本発明の好ましい実施形態を詳述する。
【００１７】
本発明の保持装置１は、縦方向の細長いスペースを利用することにより装着できるように構成されており、図１に示すように、遊技島２に列設される隣り合うパチンコ台やパチスロ台等の遊技台３、３の間隔調節のために介装される台間柱４に装着するように構成されている。遊技台３は、盤面に画像ディスプレイ３ａを備え、遊技中、種々の動画を表示し、大当たり等のように遊技状況が遊技者に有利となるとき、それまでの画像と異なるプレミアム画像としての特定動画が短時間だけ表示される。尚、図例の場合、遊技台３、３の間に、貸与機５（パチンコの場合は球貸機、パチスロの場合は疑似コイン貸機）が台間柱４に並設されている。
【００１８】
保持装置１は、台間柱４と、該台間柱４の表面に重ねた状態で固着される支持体６と、スマートフォン等の携帯端末機Ｍを着脱自在に保持するホルダ７と、保形性を有するフレキシブルアーム８により構成されており、フレキシブルアーム８の基端部を前記支持体６に固着すると共に、先端部を前記ホルダ７に固着している。
【００１９】
従って、前記フレキシブルアーム８を屈曲することにより、図示左側の遊技台３に配置した保持装置１のように、携帯端末機Ｍを保持したホルダ７を空中で前記画像ディスプレイ３ａに向かう作動位置Ｐ１に移動させると共に停止位置で保持させることができ、しかも、図示右側の遊技台３に配置した保持装置１のように、ホルダ７を空中で前記台間柱４に臨む格納位置Ｐ２に移動させると共に停止位置で保持させることができる。尚、ホルダ７に保持された携帯端末機Ｍは、ＵＳＢケーブル９を介して後述するＵＳＢコネクタに接続することにより、充電可能とするように構成されている。
【００２０】
図２に示すように、前記フレキシブルアーム８は、ほぼ全長にわたり屈曲変形自在であり、任意の形態に屈曲した状態で、該屈曲形態を保持する保形性を有しており、例えば、照明用の電気スタンド等のために提供されているフレキシブルチューブ等を使用することができる。フレキシブルアーム８の基端部は、端部にボルト１０を備えた保持スリーブ１１に挿着され、先端部は、端部にボルト１２を備えた保持スリーブ１３に挿着されている。
【００２１】
前記ホルダ７は、携帯端末機ＭのカメラレンズＭＣを除く背面部Ｂを重ねることができる盤状部１４と、該盤状部１４に一体に形成された取付部１５と、該盤状部１４の両側に対向して摺動自在に設けられ相互に近接方向に弾発付勢された保持片１６、１６を備えている。
【００２２】
図２及び図３に示すように、前記盤状部１４は、合成樹脂により成形された中空の盤体を構成し、前記携帯端末機Ｍの背面部Ｂが重ねられる表側面１４ａと反対側の裏側面１４ｂを備え、両側面に開口するガイド通路１７ａ、１７ｂを形成すると共に、該ガイド通路１７ａ、１７ｂの開口縁から突出するガイド舌片１８ａ、１８ｂを設けている。尚、前記取付部１５には取付孔１９が開設されており、前記フレキシブルアーム８の先端部のボルト１２を挿通し、ナット１２ａを締着することにより、取付固着される。
【００２３】
前記保持片１６は、それぞれ前記ガイド通路1７ａ、１７ｂに摺動自在に挿入される摺動アーム２０を備えた一対の保持片１６ａ、１６ｂを構成し、それぞれの保持片１６ａ、１６ｂの摺動アーム２０から前記盤状部１４の表側面１４ａよりも突出する挟持板２１を延設している。
【００２４】
前記保持片１６ａ、１６ｂは、それぞれ摺動アーム２０、２０をガイド通路１７ａ、１７ｂに挿入した状態で、該ガイド通路１７ａ、１７ｂに内装された引張コイルスプリング等のスプリング２０ａに連結され、これにより挟持板２１、２１が相互に近接方向に付勢された状態で組付けられる。
【００２５】
従って、ホルダ７は、前記スプリング２０ａに抗して一対の保持片１６ａ、１６ｂを引き離し方向に摺動させ、挟持板２１、２１の間隔を広げた状態で、図３（Ａ）に示すように、盤状部１４の表側面１４ａに携帯端末機Ｍの背面部Ｂを重ねた後、前記スプリング２０ａの付勢力により携帯端末機Ｍの両側を挟持板２１、２１で挟持させれば、大小サイズの異なる携帯端末機Ｍを好適に保持することができる。これにより、携帯端末機Ｍは、正面部のディスプレイＭＤを視認可能な状態で保持される。
【００２６】
図２、図３及び図４に示すように、前記支持体６は、合成樹脂により一体成形され、台間柱４の表面に重ねた状態で固着される柱状部２２と、前記柱状部２２にブラケット部２３を介して一体に形成された円筒部２４と、前記柱状部２２に貫設された貫通路２５を形成する矩形筒状のソケット部２６を備えており、前記ブラケット部２３の上下位置に柱状部２２を貫通するビス孔を備えたボス部２７、２８を設け、該ボス部２７、２８の間に位置して柱状部２２の背面に突出する矩形筒状の嵌着部２９を設けている。
【００２７】
これに対して、台間柱４は、それぞれ矩形筒状として柱状部２２の背面に突出するソケット部２６と嵌着部２９をそれぞれ嵌入させる窓孔３０、３１を開設すると共に、前記ボス部２７、２８に対応する位置に埋め込まれたナット３２、３３を設けている。尚、台間柱４は、遊技島２を構成する隣り合う遊技台３、３の間隔を調節する手段として介装され、上下の舌片４ａ、４ａを介して遊技島２に組込み固着される。
【００２８】
従って、図５に示すように、遊技島２に組込み固着された台間柱４に対して、支持体６は、前記ソケット部２６及び嵌着部２９を窓孔３０、３１に嵌着することにより位置決め固定された状態で、前記ボス部２７、２８から挿入したビス３４、３５をナット３２、３３に締着することにより、堅固に固着される。
【００２９】
遊技島２に台間柱４及び支持体６を固着するに際し、遊技島２の内部から導出された電源コード３６の先端のＵＳＢコネクタ３７が前記ソケット部２６に嵌挿される。これにより、図１に示すように、携帯端末機ＭのＵＳＢケーブル９のプラグを挿入可能とするように構成されている。
【００３０】
尚、遊技島２に別のＵＳＢコネクタが既に設置されているときは、前記ソケット部２６に前記ＵＳＢコネクタ３７を嵌挿しなくても良く、この場合は、ソケット部２６を栓部材２６ａにより閉塞しておけば良い。
【００３１】
前記支持体６の円筒部２４は、底壁２４ａを備える有底の円筒形に形成され、前記フレキシブルアーム８の基端部に設けられた保持スリーブ１１を嵌挿すると共に、ボルト１０を底壁２４ａに挿通し、ナット１０ａを締着することにより固着される。
【００３２】
図示実施形態の場合、円筒部２４の底壁２４ａを囲む筒状のカバー３８が設けられ、図例の場合、底壁２４ａの周囲に突条と周溝を介して回転自在に取付けられている。
【００３３】
前記カバー３８は、円筒部２４の底壁２４ａの周りから下方に延び、前記ナット１０ａの周囲を包囲し、該ナット１０ａが視認されることを妨げ、これにより、遊技台３の遊技者が不正の意図でナット１０ａを緩める等の行為を防止する。
【００３４】
上記構成によれば、保持装置１は、使用を必要としない場合は、図１に図示する右側の保持装置１のように、フレキシブルアーム８を台間柱４に沿う直線状に保持させ、ホルダ７を空中で遊技台３の盤面から後退した格納位置Ｐ２に移動し、邪魔にならない位置に保持させることができる。
【００３５】
そして、遊技者が遊技中、携帯端末機Ｍの使用を必要とする場合は、図１に図示する左側の保持装置１のように、携帯端末機Ｍの背面部ＢをカメラレンズＭＣが開放される姿勢としてホルダ７に保持させると共に、フレキシブルアーム８を屈曲することにより、該ホルダ７と共に携帯端末機Ｍを空中で遊技台３の画像ディスプレイ３ａに向かう作動位置Ｐ１に移動して保持させることができる。
【００３６】
この状態で、携帯端末機ＭのカメラレンズＭＣが正しく前記画像ディスプレイ３ａに向かうようにセットしておけば、遊技に専念することができる。この際、もしも、遊技状況が好転してプレミアム画像の特定動画が表示されたときは、待機中の携帯端末機Ｍを直ちに操作することにより迅速に撮影し送信することができる。しかも、遊技中、カメラレンズＭＣと反対側のディスプレイＭＤが遊技者の顔面に向けられているので、遊技しながら電子メールその他の情報を参照することが可能である。
【００３７】
更に、遊技者が携帯端末機Ｍの充電を望むときは、ＵＳＢケーブル９を介して携帯端末機ＭをＵＳＢコネクタ３７に接続することが可能であり、便利である。
【符号の説明】
【００３８】
Ｍ  携帯端末機
ＭＣ  カメラレンズ
ＭＤ  ディスプレイ
１  保持装置
２  遊技島
３  遊技台
３ａ  画像ディスプレイ
４  台間柱
４ａ  舌片
５  貸与機
６  支持体
７  ホルダ
８  フレキシブルアーム
９  ＵＳＢケーブル
１０、１２  ボルト
１０ａ、１２ａ  ナット
１１、１３  保持スリーブ
１４  盤状部
１４ａ  表側面
１４ｂ  裏側面
１５  取付部
１６（１６ａ、１６ｂ）  保持片
１７ａ、１７ｂ  ガイド通路
１８ａ、１８ｂ  ガイド舌片
１９  取付孔
２０  摺動アーム
２０ａ  スプリング
２１  挟持板
２２  柱状部
２３  ブラケット部
２４  円筒部
２４ａ  底壁
２５  貫通路
２６  ソケット部
２６ａ  栓部材
２７、２８  ボス部
２９  嵌着部
３０、３１  窓孔
３２、３３  ナット
３４、３５  ビス
３６  電源コード
３７  ＵＳＢコネクタ
３８  カバー
【図１】
0005919326.tif 000002
【図２】
0005919326.tif 000003
【図３】
0005919326.tif 000004
【図４】
0005919326.tif 000005
【図５】
0005919326.tif 000006